(57)【要約】【課題】使用者がリズム感をつかみつつ曲の演奏を習得することを可能にする教習装置および教習方法を提供する。【解決手段】複数の表示部列が複数の音高をそれぞれ指定する複数の鍵に対応して設けられる。各表示部列は複数段の表示部を含む。曲データが曲データ取得部９１により取得される。取得された曲データのリズム単位がリズム単位決定部９７により決定される。取得された曲データの再生が再生開始部９８により開始される。曲データの再生開始後、各表示部列に対応する鍵を操作すべき時点よりも前の時点から操作すべき時点まで、当該表示部列の複数の表示部の表示状態が、対応する鍵から最も遠い段から対応する鍵に最も近い段へ向かう方向に、決定されたリズム単位ごとに表示制御部９９により順に変化する。【選択図】図３
2018141897.tif 000002
【特許請求の範囲】
【請求項１】
曲データを取得する曲データ取得手段と、
取得された曲データのリズム単位を決定するリズム単位決定手段と、
複数の音高をそれぞれ指定する複数の操作子と、
各操作子に対応して設けられた複数段の表示部を各々含む複数の表示部列と、
前記取得された曲データの再生を開始する再生開始手段と、
曲データの再生開始後、前記取得された曲データに基づいて、各表示部列に対応する操作子を操作すべき時点よりも前の時点から操作すべき時点まで、当該表示部列の複数の表示部の表示状態を、前記対応する操作子から最も遠い段から前記対応する操作子に最も近い段へ向かう方向に、決定されたリズム単位ごとに順に変化させる制御手段とを備える、教習装置。
【請求項２】
予め設定された複数種類のリズム単位のいずれかを選択する選択手段をさらに備え、
前記リズム単位決定手段は、選択された種類のリズム単位を各表示部列の制御に用いるリズム単位として決定する、請求項１記載の教習装置。
【請求項３】
前記リズム単位決定手段は、前記取得された曲データにおける音符の密度および再生テンポのうち少なくとも一方に基づいてリズム単位を決定または変更する、請求項１または２記載の教習装置。
【請求項４】
前記リズム単位決定手段は、各表示部列の制御に用いるリズム単位を、前記取得された曲データの拍よりも短いリズム単位に決定する、請求項１〜３のいずれか一項に記載の教習装置。
【請求項５】
曲データを取得するステップと、
取得された曲データのリズム単位を決定するステップと、
前記取得された曲データの再生を開始するステップと、
曲データの再生開始後、異なる複数の音高をそれぞれ指定する複数の操作子に対応して設けられた複数の表示部列において、前記取得された曲データに基づいて、各表示部列に対応する操作子を操作すべき時点よりも前の時点から操作すべき時点まで、当該表示部列の複数の表示部の表示状態を、前記対応する操作子から最も遠い段から前記対応する操作子に最も近い段へ向かう方向に、決定されたリズム単位ごとに順に変化させるステップとを含む、教習方法。
【発明の詳細な説明】
【技術分野】
【０００１】
本発明は、曲の演奏を使用者に習得させる教習装置および教習方法に関する。
【背景技術】
【０００２】
複数の音高をそれぞれ指定する複数の操作子のうち、操作すべき操作子および操作すべき時点を報知することにより、曲の演奏を使用者に習得させる教習装置が知られている。例えば、特許文献１に記載された演奏ガイド装置は、鍵盤および面状表示器を含む。面状表示器においては、鍵盤の複数の鍵にそれぞれ対応するように複数のＬＥＤ（発光ダイオード）群が配設される。各ＬＥＤ群は、対応する鍵が延びる方向に配列された１２個のＬＥＤを含む。
【０００３】
演奏ガイドの開始前に、指定されたフレーズの演奏に使用する鍵に対応するＬＥＤ群の最下段の（鍵に最も近い）ＬＥＤが緑色に点灯する。その後、演奏ガイドにおいて、操作すべき鍵に対応するＬＥＤ群の最上段の（鍵に最も遠い）ＬＥＤが操作すべき時点の１小節前にオレンジ色に点灯する。楽曲の進行に伴い、最上段のＬＥＤから最下段のＬＥＤに向かって点灯状態が順に降りてくるように複数のＬＥＤが順次点灯し、鍵の操作すべき時点に最下段のＬＥＤが点灯する。
【先行技術文献】
【特許文献】
【０００４】
【特許文献１】特開２００６−２７６４３４号公報
【発明の概要】
【発明が解決しようとする課題】
【０００５】
特許文献１に記載された演奏ガイド装置によれば、操作すべき鍵を予め認識するとともに、その鍵を操作すべき時点を把握することができる。しかしながら、この演奏ガイド装置によっては、使用者は操作子を操作するリズムを把握することはできない。
【０００６】
本発明は、使用者がリズム感をつかみつつ曲の演奏を習得することを可能にする教習装置および教習方法を提供することである。
【課題を解決するための手段】
【０００７】
本発明に係る教習装置は、曲データを取得する曲データ取得手段と、取得された曲データのリズム単位を決定するリズム単位決定手段と、複数の音高をそれぞれ指定する複数の操作子と、各操作子に対応して設けられた複数段の表示部を各々含む複数の表示部列と、取得された曲データの再生を開始する再生開始手段と、曲データの再生開始後、取得された曲データに基づいて、各表示部列に対応する操作子を操作すべき時点よりも前の時点から操作すべき時点まで、当該表示部列の複数の表示部の表示状態を、対応する操作子から最も遠い段から対応する操作子に最も近い段へ向かう方向に、決定されたリズム単位ごとに順に変化させる制御手段とを備える。
【０００８】
この教習装置においては、曲データの再生開始後、操作子を操作すべき時点よりも前の時点から操作すべき時点まで、対応する表示部列の複数の表示部の表示状態が遠い段から近い段に、リズム単位ごとに順に変化する。それにより、使用者は、表示部列の複数の表示部の変化を視認することにより、曲のリズムを把握しつつ操作すべき操作子を予め認識することができる。したがって、使用者は、リズム感をつかみつつ曲の演奏を習得することが可能になる。
【０００９】
教習装置は、予め設定された複数種類のリズム単位のいずれかを選択する選択手段をさらに備え、リズム単位決定手段は、選択された種類のリズム単位を各表示部列の制御に用いるリズム単位として決定してもよい。この場合、使用者は、自分の演奏技術または好みに応じてリズム単位を選択することができる。
【００１０】
リズム単位決定手段は、取得された曲データにおける音符の密度および再生テンポのうち少なくとも一方に基づいてリズム単位を決定または変更してもよい。この場合、演奏曲に応じてリズム単位が自動的に決定または変更される。
【００１１】
リズム単位決定手段は、各表示部列の制御に用いるリズム単位を、取得された曲データの拍よりも短いリズム単位に決定してもよい。この場合、互いに異なる時点で操作すべき複数の操作子にそれぞれ対応する複数の表示部列において、同一の段の表示部の表示状態が同時に変化することが防止される。これにより、使用者は、操作子を操作すべきタイミングをより正確に認識することができる。
【００１２】
本発明に係る教習方法は、曲データを取得するステップと、取得された曲データのリズム単位を決定するステップと、取得された曲データの再生を開始するステップと、曲データの再生開始後、異なる複数の音高をそれぞれ指定する複数の操作子に対応して設けられた複数の表示部列において、取得された曲データに基づいて、各表示部列に対応する操作子を操作すべき時点よりも前の時点から操作すべき時点まで、当該表示部列の複数の表示部の表示状態を、対応する操作子から最も遠い段から対応する操作子に最も近い段へ向かう方向に、決定されたリズム単位ごとに順に変化させるステップとを含む。この教習方法によれば、使用者は、リズム感をつかみつつ曲の演奏を習得することが可能になる。
【発明の効果】
【００１３】
本発明によれば、使用者がリズム感をつかみつつ曲の演奏を習得することができる。
【図面の簡単な説明】
【００１４】
【図１】本発明の一実施の形態に係る教習装置の構成を示すブロック図である。
【図２】図１の表示ユニットの構成を示す模式的平面図である。
【図３】図１の教習制御部の機能的な構成を示すブロック図である。
【図４】表示ユニットの第１の表示例を説明するための図である。
【図５】表示ユニットの第２の表示例を説明するための図である。
【図６】教習制御部により行われる教習処理を示すフローチャートである。
【発明を実施するための形態】
【００１５】
以下、本発明の実施の形態に係る教習装置および教習方法について図面を用いて詳細に説明する。
【００１６】
（１）教習装置の構成
図１は本発明の一実施の形態に係る教習装置の構成を示すブロック図である。図２は図１の表示ユニットの構成を示す模式的平面図である。図１に示すように、教習装置１は、演奏操作子２、検出回路３、設定操作子４、検出回路５、ディスプレイ６、表示ユニット７および表示回路８を備える。
【００１７】
演奏操作子２は、例えば鍵盤であり、複数の音高をそれぞれ指定する複数の鍵２１（図２参照）を含む。演奏操作子２は、検出回路３を介してバス１９に接続され、使用者の演奏動作に基づく演奏データが演奏操作子２により入力される。設定操作子４は、オンオフ操作されるスイッチ、回転操作されるロータリエンコーダ、またはスライド操作されるリニアエンコーダ等を含み、検出回路５を介してバス１９に接続される。この設定操作子４は、音色の切り替え、音量の調整、電源のオンオフおよび各種設定を行うために用いられる。
【００１８】
ディスプレイ６および表示ユニット７は、表示回路８を介してバス１９に接続される。ディスプレイ６には、楽曲名、楽譜、またはその他の各種情報が表示される。ディスプレイ６がタッチパネルディスプレイであってもよい。この場合、使用者は、ディスプレイ６を操作することにより各種操作を指示することができる。
【００１９】
図２に示すように、表示ユニット７は、演奏操作子２の複数の鍵２１にそれぞれ対応する複数の表示部列７１を含む。各表示部列７１は、対応する鍵２１が延びる方向に並ぶように配列された複数段（本例では４段）の表示部７２を含む。各表示部７２は、例えば発光ダイオードである。
【００２０】
各表示部列７１は、対応する鍵２１の一端部に近接して配置される。４段の表示部７２を区別する場合には、鍵２１から最も遠い段から鍵２１に最も近い段までの４段の表示部７２を、それぞれ表示部７２ａ，７２ｂ，７２ｃ，７２ｄと呼ぶ。使用者による曲の演奏の練習時に、各表示部列７１の４段の表示部７２の表示状態が所定のリズム単位で変化することにより、使用者は、演奏操作子２の操作すべき鍵２１、操作すべき時点およびリズムを認識することができる。
【００２１】
図１に示すように、教習装置１は、ＲＡＭ（ランダムアクセスメモリ）１０、ＲＯＭ（リードオンリメモリ）１１、ＣＰＵ（中央演算処理装置）１２、タイマ１３、記憶装置１４および通信Ｉ／Ｆ（インタフェース）１５をさらに備える。ＲＡＭ１０、ＲＯＭ１１、ＣＰＵ１２、記憶装置１４および通信Ｉ／Ｆ１５はバス１９に接続され、タイマ１３はＣＰＵ１２に接続される。外部記憶装置１６等の外部機器が通信Ｉ／Ｆ１５を介してバス１９に接続されてもよい。ＲＡＭ１０、ＲＯＭ１１およびＣＰＵ１２が教習制御部９を構成する。
【００２２】
ＲＡＭ１０は、例えば揮発性メモリからなり、ＣＰＵ１２の作業領域として用いられるとともに、各種データを一時的に記憶する。ＲＯＭ１１は、例えば不揮発性メモリからなり、制御プログラムおよび教習プログラム等のコンピュータプログラムを記憶する。ＣＰＵ１２は、ＲＯＭ１１に記憶された教習プログラムをＲＡＭ１０上で実行することにより後述する教習処理を行う。タイマ１３は、現在時刻等の時間情報をＣＰＵ１２に与える。
【００２３】
記憶装置１４は、ハードディスク、光学ディスク、磁気ディスクまたはメモリカード等の記憶媒体を含む。この記憶装置１４には、一または複数の曲データが記憶される。曲データは、曲を表す音響信号（オーディオデータ）である。ここで、音響信号は、音の波形を表すサンプリングデータ列である。演奏操作子２から入力される演奏データに基づいて曲データが生成され、記憶装置１４に記憶されてもよい。演奏データおよび曲データは、発音指示信号を含む。
【００２４】
上記の教習プログラムが記憶装置１４に記憶されてもよい。外部記憶装置１６は、記憶装置１４と同様に、ハードディスク、光学ディスク、磁気ディスクまたはメモリカード等の記憶媒体を含み、曲データ等の各種データまたは教習プログラムを記憶してもよい。なお、本実施の形態における教習プログラムは、コンピュータが読み取り可能な記録媒体に格納された形態で提供され、ＲＯＭ１１または記憶装置１４にインストールされてもよい。また、通信Ｉ／Ｆ１５が通信網に接続されている場合、通信網に接続されたサーバから配信された教習プログラムがＲＯＭ１１または記憶装置１４にインストールされてもよい。
【００２５】
教習装置１は、音源回路１７およびサウンドシステム１８をさらに備える。音源回路１７はバス１９に接続され、サウンドシステム１８は音源回路１７に接続される。音源回路１７は、演奏操作子２から入力される演奏データまたは記憶装置１４から与えられる曲データ等に基づいて音響信号を生成するとともにその音響信号に音響効果を付与する。サウンドシステム１８は、Ｄ／Ａ（デジタル／アナログ）変換回路、増幅器およびスピーカを含み、音源回路１７から与えられる音響信号に基づく楽音を発生する。
【００２６】
（２）教習制御部９の機能的な構成
図３は図１の教習制御部９の機能的な構成を示すブロック図である。図３に示すように、教習制御部９は、曲データ取得部９１、密度判定部９２、テンポ取得部９３、テンポ判定部９４、選択部９５、切替部９６、リズム単位決定部９７、再生開始部９８および表示制御部９９を含む。図１のＣＰＵ１２がＲＯＭ１１または記憶装置１４に記憶された教習プログラムを実行することにより図３の教習制御部９の各部の機能が実現される。
【００２７】
曲データ取得部９１は、設定操作子４の操作に基づいて、曲データを記憶装置１４から取得する。密度判定部９２は、取得された曲データを分析することにより、曲データの音符の密度が予め定められた密度しきい値以上であるか否かを判定する。密度しきい値は、例えば１小節当たり８音符である。
【００２８】
テンポ取得部９３は、設定操作子４の操作に基づいて、取得された曲データのテンポを設定し（再生テンポ設定）、設定されたテンポを取得する。曲データに推奨テンポが設定されている場合には、テンポ取得部９３は、設定された推奨テンポを取得してもよい。テンポ判定部９４は、取得されたテンポが予め定められたテンポしきい値以上であるか否かを判定する。テンポしきい値は、例えば１４０ＢＰＭである。
【００２９】
選択部９５は、設定操作子４の操作に基づいて、取得された曲データのリズム単位を予め設定された複数種類のリズム単位から選択する。ここで、リズム単位は、１拍を基準とした音長をいい、１６分音符、８分音符、４分音符および２分音符に相当する音長を含む。１拍が三連符により構成される場合には、リズム単位は１／３拍を含んでもよい。リズム単位は、取得された曲データの拍よりも短いことが好ましい。本実施の形態においては、複数種類のリズム単位として、「１６分音符」または「８分音符」を選択することができる。
【００３０】
切替部９６は、設定操作子４の操作に基づいて、リズム単位決定部９７の動作モードを第１、第２および第３のモードの間で切り替える。リズム単位決定部９７は、第１の動作モード時において、判定された音符の密度が密度しきい値以上である場合にリズム単位を「１６分音符」に決定し、密度しきい値未満である場合にリズム単位を「８分音符」に決定する。
【００３１】
リズム単位決定部９７は、第２の動作モード時において、判定されたテンポがテンポしきい値以上である場合にリズム単位を「１６分音符」に決定し、テンポしきい値未満である場合にリズム単位を「８分音符」に決定する。リズム単位決定部９７は、第３の動作モード時において、リズム単位を選択された音長に決定する。リズム単位決定部９７は、曲の途中でリズム単位を変更してもよい。
【００３２】
再生開始部９８は、設定操作子４の操作に基づいて、取得された曲データの再生を開始するとともに、タイマ１３の起動および停止を制御する。表示制御部９９は、タイマ１３の時間情報と、取得された曲データと、決定されたリズム単位とに基づいて各表示部列７１の４段の表示部７２の表示状態が変化するように表示ユニット７を制御する。本実施の形態においては、表示状態の変化とは、例えば消灯状態を点灯状態にすること、または点灯状態を消灯状態にすることをいう。
【００３３】
具体的には、表示制御部９９は、初期状態として、曲データの再生開始前に、全ての表示部７２を消灯させる。曲データの再生開始後、表示制御部９９は、各表示部列７１に対応する鍵２１を操作すべき時点よりも所定時間だけ前の時点に当該表示部列７１の表示部７２ａを点灯させる。本実施の形態においては、所定時間とは決定されたリズム単位の３個分（３リズム単位分）である。
【００３４】
最初の１リズム単位が経過した時点で、表示制御部９９は、表示部７２ａを消灯させ、表示部７２ｂを点灯させる。次の１リズム単位が経過した時点で、表示制御部９９は、表示部７２ｂを消灯させ、表示部７２ｃを点灯させる。次の１リズム単位がさらに経過した時点、すなわち鍵２１を操作すべき時点で、表示制御部９９は、表示部７２ｃを消灯させ、表示部７２ｄを点灯させる。
【００３５】
（３）表示ユニット７の表示例
図４は表示ユニット７の第１の表示例を説明するための図である。図４（ａ）は取得された曲データの楽譜の一部であり、第１音Ｎ１〜第８音Ｎ８をそれぞれ示す８個の８分音符により構成される。図４（ａ）の例では、自動的にまたは使用者による選択に基づいてリズム単位が「８分音符」に決定される。
【００３６】
図４（ａ）の曲データによれば、初期状態に全ての表示部７２が消灯した後、第１音Ｎ１の発音開始時点の３リズム単位前に、第１音Ｎ１の音高「Ｃ」を指定する鍵２１に対応する表示部列７１の表示部７２ａが点灯する。以下の説明では、各音高を指定する鍵２１に対応する表示部列７１の表示部７２を、単に当該音高に対応する表示部７２と呼ぶ。
【００３７】
図４（ｂ）は、第１音Ｎ１の発音開始時点の２リズム単位前の表示ユニット７の表示状態を示す。この時点においては、第１音Ｎ１の音高「Ｃ」に対応する表示部７２ａが消灯し、表示部７２ｂが点灯する。また、第２音Ｎ２の音高「Ｄ」に対応する表示部７２ａが点灯する。
【００３８】
図４（ｃ）は、第１音Ｎ１の発音開始時点の１リズム単位前の表示ユニット７の表示状態を示す。この時点においては、第１音Ｎ１の音高「Ｃ」に対応する表示部７２ｂが消灯し、表示部７２ｃが点灯する。また、第２音Ｎ２の音高「Ｄ」に対応する表示部７２ａが消灯し、表示部７２ｂが点灯する。第３音Ｎ３の音高「Ｅ」に対応する表示部７２ａが点灯する。
【００３９】
図４（ｄ）は、第１音Ｎ１の発音開始時点の表示ユニット７の表示状態を示す。この時点においては、第１音Ｎ１の音高「Ｃ」に対応する表示部７２ｃが消灯し、表示部７２ｄが点灯する。また、第２音Ｎ２の音高「Ｄ」に対応する表示部７２ｂが消灯し、表示部７２ｃが点灯する。第３音Ｎ３の音高「Ｅ」に対応する表示部７２ａが消灯し、表示部７２ｂが点灯する。第４音Ｎ４の音高「Ｆ」に対応する表示部７２ａが点灯する。
【００４０】
図４（ｅ）は、第１音Ｎ１の発音開始時点の１リズム単位後（第２音Ｎ２の発音開始時点）の表示ユニット７の表示状態を示す。この時点においては、第１音Ｎ１の音高「Ｃ」に対応する表示部７２ｄが消灯する。また、第２音Ｎ２の音高「Ｄ」に対応する表示部７２ｃが消灯し、表示部７２ｄが点灯する。第３音Ｎ３の音高「Ｅ」に対応する表示部７２ｂが消灯し、表示部７２ｃが点灯する。第４音Ｎ４の音高「Ｆ」に対応する表示部７２ａが消灯し、表示部７２ｂが点灯する。第５音Ｎ５の音高「Ｇ」に対応する表示部７２ａが点灯する。
【００４１】
図５は表示ユニット７の第２の表示例を説明するための図である。図５（ａ）は取得された曲データの楽譜の一部であり、第１音Ｎ１および第５音Ｎ５をそれぞれ示す２個の８分音符と、第２音Ｎ２〜第４音Ｎ４および第６音Ｎ６〜第９音Ｎ９をそれぞれ示す７個の１６分音符と、第１０音Ｎ１０を示す４分音符とにより構成される。第１音Ｎ１と第２音Ｎ２との間には、第１休符Ｒ１として１６分休符が挿入される。図５（ａ）の例では、自動的にまたは使用者による選択に基づいてリズム単位が「１６分音符」に決定される。
【００４２】
図５（ｂ）は、第１音Ｎ１の発音開始時点の表示状態を示す。この時点においては、第１音Ｎ１の音高「Ｃ」に対応する表示部７２ｄが点灯する。また、第２音Ｎ２の音高「Ｇ」に対応する表示部７２ａが点灯する。
【００４３】
図５（ｃ）は、第１音Ｎ１の発音開始時点の１リズム単位後の表示ユニット７の表示状態を示す。この時点においては、第１音Ｎ１の発音の継続期間中であるので、第１音Ｎ１の音高「Ｃ」に対応する表示部７２ｄの点灯が継続する。また、第２音Ｎ２の音高「Ｇ」に対応する表示部７２ａが消灯し、表示部７２ｂが点灯する。第３音Ｎ３の音高「Ｃ」に対応する表示部７２ａが点灯する。なお、表示部７２は、対応する鍵２１の操作開始時点のみ点灯してもよい。したがって、図５（ｃ）の時点では、第１音Ｎ１の音高「Ｃ」に対応する表示部７２ｄが消灯してもよい。
【００４４】
図５（ｄ）は、第１音Ｎ１の発音開始時点の２リズム単位後（第１休符Ｒ１の挿入時点）の表示ユニット７の表示状態を示す。この時点においては、いずれの音高の発音も行われないので、全ての表示部７２ｄが消灯する。また、第２音Ｎ２の音高「Ｇ」に対応する表示部７２ｂが消灯し、表示部７２ｃが点灯する。第３音Ｎ３の音高「Ｃ」に対応する表示部７２ａが消灯し、表示部７２ｂが点灯する。第４音Ｎ４の音高「Ｂ」に対応する表示部７２ａが点灯する。
【００４５】
図５（ｅ）は、第１音Ｎ１の発音開始時点の３リズム単位後（第２音Ｎ２の発音開始時点）の表示ユニット７の表示状態を示す。この時点においては、第２音Ｎ２の音高「Ｇ」に対応する表示部７２ｃが消灯し、表示部７２ｄが点灯する。また、第３音Ｎ３の音高「Ｃ」に対応する表示部７２ｂが消灯し、表示部７２ｃが点灯する。第４音Ｎ４の音高「Ｂ」に対応する表示部７２ａが消灯し、表示部７２ｂが点灯する。第５音Ｎ５の音高「Ｅ」に対応する表示部７２ａが点灯する。
【００４６】
（４）教習処理
図６は教習制御部９により行われる教習処理を示すフローチャートである。図６の教習処理は、図１のＣＰＵ１２がＲＯＭ１１または記憶装置１４に記憶された教習プログラムを実行することにより行われる。初期状態においては、全ての表示部７２は消灯する。
【００４７】
まず、曲データ取得部９１は、使用者による設定操作子４の操作に基づいて記憶装置１４から曲データを取得する（ステップＳ１）。次に、リズム単位決定部９７は、自動的にまたは使用者による選択に基づいてリズム単位を決定する（ステップＳ２）。ここで、曲データの練習部分、再生開始位置、テンポ、音色または音量等が設定されてもよい。
【００４８】
次に、表示制御部９９は、曲データに基づいて、再生開始前における表示部７２の点灯状態を決定する（ステップＳ３）。また、表示制御部９９は、決定された点灯状態に基づいて、０以上の特定の表示部７２を点灯させる（ステップＳ４）。したがって、該当する表示部７２が存在しない場合には、いずれの表示部７２も点灯しない。続いて、表示制御部９９は、次の１リズム単位後の音高を特定する（ステップＳ５）。
【００４９】
その後、再生開始部９８は、再生開始が指示されたか否かを判定する（ステップＳ６）。再生開始が指示されていない場合、再生開始部９８は再生開始が指示されるまで待機する。再生開始が指示された場合、再生開始部９８はタイマ１３を起動させる（ステップＳ７）。
【００５０】
その後、再生開始部９８は、再生終了が指示されたか否かを判定する（ステップＳ８）。再生終了が指示されていない場合、再生開始部９８は、曲データの再生時点を更新する（ステップＳ９）。
【００５１】
次に、表示制御部９９は、タイマ１３の時間情報に基づいて、１リズム単位が経過したか否かを判定する（ステップＳ１０）。１リズム単位が経過していない場合、表示制御部９９は、ステップＳ８の処理に戻る。１リズム単位が経過するまで、ステップＳ８〜Ｓ１０の処理が繰り返される。
【００５２】
１リズム単位が経過した場合、表示制御部９９は、ステップＳ５または後述するステップＳ１３において特定された音高のうち、最も直近に特定された音高に基づいて、表示部７２の点灯状態を更新する（ステップＳ１１）。また、表示制御部９９は、決定された点灯状態に基づいて、０以上の特定の表示部７２を点灯させる（ステップＳ１２）。ステップＳ４と同様に、該当する表示部７２が存在しない場合には、いずれの表示部７２も点灯しない。
【００５３】
次に、表示制御部９９は、次の１リズム単位後の音高を特定し（ステップＳ１３）、ステップＳ８の処理に戻る。再生終了が指示されるまで、ステップＳ８〜Ｓ１３の処理が繰り返される。ステップＳ８において、再生終了が指示された場合、再生開始部９８はタイマ１３を停止し（ステップＳ１４）、教習処理を終了する。
【００５４】
（５）効果
本実施の形態に係る教習装置１においては、曲データの再生開始後、鍵２１を操作すべき時点よりも前の時点から操作すべき時点まで、対応する表示部列７１の表示部７２ａ〜７２ｄが、リズム単位ごとに順に変化する。それにより、使用者は、表示部列７１の表示部７２ａ〜７２ｄの変化を視認することにより、曲のリズムを把握しつつ操作すべき鍵２１を予め認識することができる。したがって、使用者は、リズム感をつかみつつ曲の演奏を習得することが可能になる。
【００５５】
（６）他の実施の形態
（ａ）上記実施の形態において、演奏操作子２は鍵盤であるが、本発明はこれに限定されない。演奏操作子２は、複数の音高をそれぞれ指定可能に配列された複数のスイッチであってもよい。あるいは、演奏操作子２は、鍵または上記のスイッチを操作可能に表示された画面であってもよい。
【００５６】
（ｂ）上記実施の形態において、各表示部列７１は４段の表示部７２を含むが、本発明はこれに限定されない。各表示部列７１は３段の表示部７２を含んでもよいし、５段以上の表示部７２を含んでもよい。特に、１拍が三連符により構成される場合には、各表示部列７１は３段またはその整数倍の表示部７２を含むことが好ましい。
【００５７】
（ｃ）上記実施の形態において、操作すべき鍵２１および操作すべき時点を報知するために対応する表示部列７１の全部の表示部７２ａ〜７２ｄが用いられるが、本発明はこれに限定されない。表示部列７１の一部の表示部７２ａ〜７２ｄが用いられなくてもよい。すなわち、各表示部列７１の表示部７２ａから表示部７２ｄに向かう方向に表示部７２の表示状態が順に変化すればよく、表示部７２ａから表示部７２ｄのいずれかの表示状態が変化しなくてもよい。したがって、１拍が三連符により構成される場合には、各表示部列７１の表示部７２ａが用いられず、３段の表示部７２ｂ〜７２ｄが用いられてもよい。
【００５８】
（ｄ）上記実施の形態において、表示部７２の点灯状態および消灯状態が表示状態として変化するが、本発明はこれに限定されない。表示部７２が複数種類の色彩で点灯可能である場合には、表示部７２の色彩が表示状態として変化してもよい。
【００５９】
また、ディスプレイ６の一部または全部が表示ユニット７として用いられてもよい。例えば、複数の鍵２１にそれぞれ対応するようにディスプレイ６の複数の表示領域が複数の表示部列７１として割り当てられ、各表示領域の複数の画素が複数の表示部７２として割り当てられてもよい。この構成においては、表示ユニット７が設けられない。
【００６０】
（ｅ）上記実施の形態において、リズム単位決定部９７は動作モードとして第１、第２および第３のモードを有するが、本発明はこれに限定されない。リズム単位決定部９７は第１、第２および第３のモードのうち１つまたは２つの動作モードを有さなくてもよい。
【００６１】
リズム単位決定部９７が第１の動作モードを有さない場合には、密度判定部９２が設けられなくてもよい。リズム単位決定部９７が第２の動作モードを有さない場合には、テンポ取得部９３およびテンポ判定部９４が設けられなくてもよい。リズム単位決定部９７が第３の動作モードを有さない場合には、選択部９５が設けられなくてもよい。リズム単位決定部９７が単一の動作モードを有する場合には、切替部９６が設けられなくてもよい。
【００６２】
（ｆ）上記実施の形態において、図３の教習制御部９がＣＰＵ１２等のハードウエアおよび教習プログラム等のソフトウエアにより実現されるが、教習制御部９の各構成要素が電子回路等のハードウエアにより実現されてもよい。
【００６３】
（７）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００６４】
上記実施の形態では、曲データ取得部９１が曲データ取得手段の例であり、リズム単位決定部９７がリズム単位決定手段の例であり、鍵２１が操作子の例である。表示制御部９９が制御手段の例であり、再生開始部９８が再生開始手段の例であり、選択部９５が選択手段の例である。
【符号の説明】
【００６５】
１…教習装置，２…演奏操作子，４…設定操作子，３，５…検出回路，６…ディスプレイ，７…表示ユニット，８…表示回路，９…教習制御部，１０…ＲＡＭ，１１…ＲＯＭ，１２…ＣＰＵ，１３…タイマ，１４…記憶装置，１５…通信Ｉ／Ｆ，１６…外部記憶装置，１７…音源回路，１８…サウンドシステム，１９…バス，２１…鍵，７１…表示部列，７２，７２ａ〜７２ｄ…表示部，９１…曲データ取得部，９２…密度判定部，９３…テンポ取得部，９４…テンポ判定部，９５…選択部，９６…切替部，９７…リズム単位決定部，９８…再生開始部，９９…表示制御部
【図１】
2018141897.tif 000003
【図２】
2018141897.tif 000004
【図３】
2018141897.tif 000005
【図４】
2018141897.tif 000006
【図５】
2018141897.tif 000007
【図６】
2018141897.tif 000008